(57)【要約】【課題】地下構築物、特に、地下鉄構内の壁面等に装着する漏水補修用の漏水パネルに電飾看板を簡便且つ迅速に取付けるための取付構造の提供。【解決手段】中央の仕切り板２を介して一方面に、多数の中空ブロック４を配列し、各中空ブロック４間に導水路５を有し、且つ前記中空ブロック４上に不燃布６を粘着してなる第１パネル３と、他方面に、前記仕切板２と外側の表面板８との間の間隙部９に、多数の傾斜リブ１０を配列してなる第２パネル７によって構成される導水パネル１において、前記第２パネル７内の傾斜リブ１０によって形成された正三角形状の空間部１１に、長尺の平板１２を挿置し、該平板１２上に固定されたナット１３に螺締したボルト１４をもって電飾看板Ａのボックス本体１５を導水パネル１に取付けるようにした。【特許請求の範囲】
【請求項１】
中央の仕切り板２を介して一方面に、多数の中空ブロック４を配列し、各中空ブロック４間に導水路５を有し、且つ前記中空ブロック４上に不燃布６を粘着してなる第１パネル３と、他方面に、前記仕切板２と外側の表面板８との間の間隙部９に、多数の傾斜リブ１０を配列してなる第２パネル７によって構成される導水パネル１において、前記第２パネル７内の傾斜リブ１０によって形成された正三角形状の空間部１１に、長尺の平板１２を挿置し、該平板１２上に固定されたナット１３に螺締したボルト１４をもって電飾看板Ａのボックス本体１５を導水パネル１に取付けるようになる、導水パネルにおける電飾看板の取付構造。
【請求項２】
前記傾斜リブ１０によって形成される正三角形状の空間部１１に、配線用の部品１６を設置し、この配線用の部品１６と、前記電飾看板Ａのボックス本体１５に設置した変圧器等の電器部品１７を配線用の管体１８で連結し、該管体１８内に配線コードを通すようにした請求項１記載の導水パネルによる電飾看板の取付構造。
【発明の詳細な説明】
【０００１】
【発明の属する技術分野】
本発明は、地下構築物、特に地下鉄構内の壁面等に装着する漏水補修用の導水パネルに電飾看板を簡便且つ迅速に取付けるための取付構造に関するものである。
【０００２】
【従来の技術】
地下鉄構内の壁面から漏水すると、該漏水箇所の壁面に漏水補修用の導水パネルを装着する手法があり、工事コストの削減及び短時間による作業性に鑑み、今後、漏水補修用の導水パネルの使用率が一段と増加する方向にある。しかしこの導水パネルに電飾看板を取付ける技術が皆無であり、この技術の開発が急務になっている。
【０００３】
【発明が解決しようとする課題】
本発明は、漏水処理対策として、今後、その使用例が著しく増加するであろう導水パネルに、電飾看板を簡便且つ迅速に、しかも漏水による漏電対策も充分な導水パネルにおける電飾看板の取付構造の提供を目的としたものである。
【０００４】
【課題を解決するための手段】
本発明は、前記の目的を達成する手段として、中央の仕切り板２を介して一方面に、多数の中空ブロック４を配列し、各中空ブロック４間に導水路５を有し、且つ前記中空ブロック４上に不燃布６を粘着してなる第１パネル３と、他方面に、前記仕切板２と外側の表面板８との間の間隙部９に、多数の傾斜リブ１０を配列してなる第２パネル７によって構成される導水パネル１において、前記第２パネル７内の傾斜リブ１０によって形成された正三角形状の空間部１１に、長尺の平板１２を挿置し、該平板１２上に固定されたナット１３に螺締したボルト１４をもって電飾看板Ａのボックス本体１５を導水パネル１に取付けるようにした。
【０００５】
【発明の実施の形態】
本発明の具体的な構造を、図にもとづいて説明すると、導水パネル１は、合成樹脂製で、中央の仕切版２を介して、一方面に、多数の中空ブロック４を等間隔に配列して該中空ブロック４間に導水路５を形成し、且つ、前記中空ブロック４上に不燃布６を貼着してなる第１パネル３と、他方面に、前記仕切版２と外側の表面板８との間の間隙部９に多数の傾斜リブ１０を配列してなる第２パネル７によって構成されており、そして漏水壁面に装着した導水パネルは、前記導水路５の案内によって側溝に漏水を排出するようになる。
【０００６】
而して、前記第２パネル７の傾斜リブ１０によって形成される正三角形状の空間部１１に長尺の平板１２を挿置し、該平板１２上に熔着固定したナット１３に
2004177911.tif 000002
。前記ナット１３は、その外周面が前記傾斜リブ１０の斜面に対応するテーパー多角形面に形成されており、該斜面が傾斜リブ１０に密接するようになる。又、前記傾斜リブ１０によって形成された正三角形状の空間部１１には配線用の部品１６を設置し、この部品１６と、電飾看板Ａのボックス本体１５内に設置した変圧器等の電器部品１７を、Ｌ字形に屈曲した配線用の管体１８で連結し、配線コードを該管体１８に通すようになる。
【０００７】
図中、１９は前記ボックス本体１５の蓋体、２０は該蓋体１９に装着した透明体或いは半透明体からなる窓板を示す。尚、導水パネル１の壁面Ｃに対する取付手段としては、Ｌ字型の取付金具２１をボルト２２、ナット２３によって壁面に固定し、この取付け金具２１に縁枠部材２４をボルト２５、ナット２６によって固定すると共に、該縁枠部材２４の内側に導水パネル１の上下端部を挿嵌し、ビス２６で縁枠部材２４に固定するようになる。
【０００８】
【発明の効果】
本発明は前記の構成に係り、以下に列挙する諸効果を有する。
（１）導水パネル１における第２パネル７間の傾斜リブ１０によって形成される
2004177911.tif 000003
電飾看板Ａのボックス本体１５を導水パネル１に取付けるようになっており、作業が簡単であって、時間的な制約を受ける地下鉄構内での工事に最適であり、しかも、前記ナット１４は、その外周面が前記傾斜リブ１０に対応したテーパー多角形面にしてあり、このテーパー面が傾斜リブ１０に密着するばかりでなく、該ナット１５を熔着してある平版１２は、前記正三角形状の空間部１１の底辺で安定してあり、電飾看板Ａのボックス本体１５は安全且つ強固に固定されるようになる。
（２）電飾看板Ａを取付けに際し、導水パネル１における第２パネル７内の断熱層（又は機能層）を活用し、導水路５を有する第１パネル３を何等損傷することなく電飾看板Ａを取付けるようになるので、導水パネルにおける導水作用を損ねることなく、電飾看板を簡便且つ安定的に取付けることができる。
（３）配線用の部品１６を、第２パネル７内の正三角形状の空間部１１に設置し、該部品１６と電飾看板Ａのボックス本体１５内の電器部品１７を配線用の管体１８で連結し、この管体１８内に配線コードを通すようにしてあり、この配線エリアは、導水パネル１の仕切板２によって完全に遮断されて漏水の心配がなく、漏電等の空気事故も回避され、前記（１）の効果と相俟って、更に有益な取付構造を提供し得るものである。
【図面の簡単な説明】
【図１】本発明の正面図
【図２】同上Ａ−Ａ線断面拡大図
【図３】同上Ｂ−Ｂ線断面拡大図
【図４】導水パネルと電飾看板の本体とを分離した状態の斜視図
【符号の説明】
１    導水パネル
２    仕切板
３    第１パネル
４    中空ブロック
５    導水路
６    不燃布
７    第２パネル
８    表面板
９    間隙部
１０  傾斜リブ
１１  空間部
１２  平板
１３  ナット
１４  ボルト
１５  ボックス本体
【図１】
2004177911.tif 000004
【図２】
2004177911.tif 000005
【図３】
2004177911.tif 000006
【図４】
2004177911.tif 000007